(57)【特許請求の範囲】
【請求項１】
車両に対して給油又は充電を行う燃料供給装置であって、
液体燃料を給油する給油機構と、該給油機構による給油動作に基づき、給油状態を示す給油情報を表示する第１の表示部とを備える給油装置と、
電力を充電する充電機構と、該充電機構による充電動作に基づき、充電状態を示す充電情報を表示する第２の表示部とを備える充電装置と、
前記給油及び前記充電のいずれかを選択するための操作を行う操作部とからなり、
前記給油装置及び前記充電装置が併設され、前記操作部に対する操作に応じて、前記給油が選択された際に、前記給油情報を前記第１の表示部に表示させ、前記充電が選択された際に、前記充電情報を前記第２の表示部に表示させるように、情報を表示すべき表示部を切り替えることを特徴とする燃料供給装置。
【請求項２】
給油を開始するノズルスイッチと、
充電を開始する充電開始スイッチと、
前記ノズルスイッチがＯＮにされた際に充電を禁止すると共に、前記充電開始スイッチがＯＮにされた際に給油を禁止する制御装置とを備えることを特徴とする請求項１に記載の燃料供給装置。
【発明の詳細な説明】
【技術分野】
【０００１】
本発明は、燃料供給装置に関し、特に、ガソリンエンジンを搭載する自動車に対する燃料の供給、及び電気自動車に対する充電が可能な燃料供給装置に関する。
【背景技術】
【０００２】
近年、ガソリン燃料を使用する自動車から発生する炭酸ガスにより、大気汚染や地球温暖化等の問題が生じている。そのため、最近では、ガソリンエンジンを搭載する自動車に代わり、バッテリー（二次電池）を搭載して電気を動力源とする電気自動車が実用化され、注目されている。
【０００３】
このような電気自動車を充電するためには、例えば特許文献１に示す充電装置のような充電設備が必要であり、従来から、給油所等に充電設備を設置することが要望されている。
【先行技術文献】
【特許文献】
【０００４】
【特許文献１】特開平７−１４３６１０号公報
【発明の概要】
【発明が解決しようとする課題】
【０００５】
しかし、従来の給油所において、既存の設備に代えて、電気自動車に対して充電可能な充電設備を備える大規模な燃料供給装置を新設するには、設備費用が嵩むという問題があった。また、電気自動車が普及するまでは、利用量が少ないため、利益性に乏しいという問題があった。
【０００６】
そこで、本発明は、上記従来の技術における問題点に鑑みてなされたものであって、充電設備を備える大規模な燃料供給装置を新設することなく、ガソリン燃料を供給する既存の給油装置に対して、電気自動車への充電を行う充電装置を容易に併設することが可能な燃料供給装置を提供することを目的とする。
【課題を解決するための手段】
【０００７】
上記目的を達成するため、本発明は、車両に対して給油又は充電を行う燃料供給装置であって、液体燃料を給油する給油機構と、該給油機構による給油動作に基づき、給油状態を示す給油情報を表示する第１の表示部とを備える給油装置と、電力を充電する充電機構と、該充電機構による充電動作に基づき、充電状態を示す充電情報を表示する第２の表示部とを備える充電装置と、前記給油及び前記充電のいずれかを選択するための操作を行う操作部とからなり、前記給油装置及び前記充電装置が併設され、前記操作部に対する操作に応じて、前記給油が選択された際に、前記給油情報を前記第１の表示部に表示させ、前記充電が選択された際に、前記充電情報を前記第２の表示部に表示させるように、情報を表示すべき表示部を切り替えることを特徴とする。
【０００８】
そして、本発明によれば、既存の給油装置に対して、電気自動車への充電を行うための充電装置を併設し、給油及び充電のための操作を行う操作部を共用できるようにするため、設備費用の増大を防ぎ、充電装置を容易に設置することが可能になる。また、給油及び充電のいずれかの動作に基づく情報を適切に表示することが可能になる。
【００１０】
上記燃料供給装置において、給油を開始するノズルスイッチと、充電を開始する充電開始スイッチと、前記ノズルスイッチがＯＮにされた際に充電を禁止すると共に、前記充電開始スイッチがＯＮにされた際に給油を禁止する制御装置とを備えることができる。これにより、給油装置及び充電装置が同時に駆動して危険な状態となるのを防止することが可能になる。
【発明の効果】
【００１１】
以上のように、本発明によれば、充電設備を備える大規模な燃料供給装置を新設することなく、ガソリン燃料を供給する既存の給油装置に対して、電気自動車への充電を行う充電装置を容易に併設することが可能になる。
【図面の簡単な説明】
【００１２】
【図１】本発明に係る燃料供給装置を概略的に説明するための略線図である。
【図２】操作部の構成の一例を示す略線図である。
【図３】本発明に係る燃料供給装置の構成の一例を示すブロック図である。
【図４】本発明に係る燃料供給装置における給油及び充電処理の流れについて説明するためのフローチャートである。
【発明を実施するための形態】
【００１３】
次に、本発明を実施するための形態について、図面を参照しながら詳細に説明する。尚、以下においては、本発明に係る燃料供給装置をセルフサービス方式の給油所に設置する場合を例にとって説明する。
【００１４】
図１〜図３は、本発明に係る燃料供給装置の一実施の形態を示し、この燃料供給装置１は、顧客や従業員によって操作され、例えば、ガソリンエンジンを搭載する自動車に対してレギュラーガソリン、ハイオクガソリン及び軽油等のいずれかを給油したり、電気自動車に対して充電するための装置である。
【００１５】
燃料供給装置１は、給油装置２に対して充電装置３が所定の間隔（例えば、６０ｃｍ程度）で併設され、各種の入力設定や給油／充電料金の精算を行うための操作部４が設けられる。尚、燃料供給装置１は、給油エリアに面する正面側及び背面側に、同様の構成を有する。ここでは、正面側のみを図示し、背面側については、説明を省略する。
【００１６】
給油装置２は、燃料単価、給油量、給油金額等の給油情報を表示する第１の表示部５を備え、油種毎の給油ポンプや流量計等からなる給油機構２１（図３参照）を収容する。また、給油装置２は、油種毎の給油機構２１に対して各々配管で接続された複数のホース接続部が設けられる。各ホース接続部の先端には、給油の開始／停止を操作するためのノズルスイッチ９（図３参照）が設けられた給油ノズルを有する給油ホースが連結される。
【００１７】
充電装置３は、充電状態や充電率等の充電情報を表示する第２の表示部６と、充電を開始するための充電開始スイッチ７と、充電を停止するための充電停止スイッチ８とを備え、電力供給手段や電力計等からなる充電機構２２（図３参照）を収容する。また、充電装置３は、充電機構２２に対してケーブルで接続されたケーブル接続部が設けられる。ケーブル接続部の先端には、充電カプラを有する充電ケーブルが連結される。
【００１８】
図２に示すように、操作部４は、主に、会員カードやプリペイドカードに対するデータの読み書きを行うカードリーダ／ライタ１１と、投入された紙幣を読み取る紙幣読取機１２と、給油／充電料金に対する割引等の情報が記録されたバーコードやＱＲ（Quick Response）コード（登録商標）を読み取るバーコードリーダ１３と、携帯端末やスピードパス（登録商標）に搭載されたＩＣ（Integrated Circuit）チップとの通信を行うＩＣカードリーダ１４と、給油／充電料金伝票を印字して出力するプリンタ１５と、油種、給油量及び給油料金等の給油データや、充電率及び充電時間等の充電データを入力設定するタッチパネル１６とを備える。
【００１９】
タッチパネル１６では、給油及び充電のいずれかを選択するためのボタン（不図示）が表示される。顧客や従業員は、表示されたボタンを操作することにより、給油及び充電のいずれかを選択することができる。
【００２０】
図３に示すように、充電開始スイッチ７は、顧客や従業員によって操作された際に、充電開始を示す充電開始信号を、後述する制御装置１０に対して出力する。充電停止スイッチ８は、顧客や従業員によって操作された際に、充電停止を示す充電停止信号を制御装置１０に対して出力する。ノズルスイッチ９は、顧客や従業員によって操作されてＯＮとされた際に、給油開始を示す給油開始信号を制御装置１０に対して出力し、ＯＦＦとされた際に、給油停止を示す給油停止信号を出力する
【００２１】
制御装置１０は、燃料供給装置１全体の動作を制御し、特に、充電開始スイッチ７、充電停止スイッチ８及びノズルスイッチ９に対する操作に基づいて供給される各種信号に基づき、給油機構２１及び充電機構２２の動作を制御する。
【００２２】
制御装置１０は、給油開始信号が供給された場合に、給油を開始するための給油機構駆動信号を給油機構２１に対して出力すると共に、充電機構２２による充電を禁止するための充電機構駆動禁止信号を充電機構２２に対して出力する。また、制御装置１０は、給油停止信号が供給された場合に、充電機構２２の充電禁止状態を解除するための充電機構駆動禁止停止信号を充電機構２２に対して出力する。
【００２３】
さらに、制御装置１０は、充電開始信号が供給された場合に、充電を開始するための充電機構駆動信号を充電機構２２に対して出力すると共に、給油機構２１による給油を禁止するための給油機構駆動禁止信号を給油機構２１に対して出力する。また、制御装置１０は、充電停止信号が供給された場合に、給油機構２１の給油禁止状態を解除するための給油機構駆動禁止停止信号を給油機構２１に対して出力する。
【００２４】
このように、燃料供給装置１では、給油機構駆動禁止信号及び充電機構駆動禁止信号に基づき、給油機構２１及び充電機構２２のいずれか一方を駆動させる場合に、他方の駆動を禁止するように制御するため、両機構が同時に駆動して危険な状態となるのを防止することができる。
【００２５】
次に、上記構成を有する燃料供給装置１の給油及び充電処理の流れについて、図４に示すフローチャートを参照して説明する。
【００２６】
まず、ステップＳ１において、制御装置１０は、ノズルスイッチ９が操作され、ＯＮとされたか否かを判断する。給油開始信号が制御装置１０に対して供給され、ノズルスイッチ９がＯＮとされたと判断した場合（ステップＳ１；Ｙｅｓ）、制御装置１０は、給油機構２１に対して給油機構駆動信号を出力する。
【００２７】
ステップＳ２において、給油機構２１は、制御装置１０から給油機構駆動禁止信号が供給されたか否かを判断する。給油機構駆動禁止信号が供給されていないと判断した場合（ステップＳ２；Ｎｏ）、給油機構２１は、制御装置１０から供給された給油機構駆動信号に基づき、第１の表示部５に表示された給油量の表示をリセットして帰零すると共に、給油ポンプを駆動して給油を開始する。また、制御装置１０は、充電機構２２に対して充電機構駆動禁止信号を出力する（ステップＳ３）。給油機構駆動禁止信号が供給されたと判断した場合（ステップＳ２；Ｙｅｓ）には、一連の処理が終了する。
【００２８】
次に、給油機構２１は、流量パルスの有無を判断する（ステップＳ４）。流量パルスが発生した場合（ステップＳ４；Ｙｅｓ）、給油機構２１は、流量計によって給油量を計数し、計数結果を制御装置１０に対して出力する。制御装置１０は、給油機構２１から供給された計数結果を第１の表示部５に表示させる（ステップＳ５）。流量パルスが発生していない場合（ステップＳ４；Ｎｏ）には、処理がステップＳ６に移行する。
【００２９】
次に、制御装置１０は、ノズルスイッチ９が操作され、ＯＦＦとされたか否かを判断する（ステップＳ６）。給油停止信号が制御装置１０に対して供給され、ノズルスイッチ９がＯＦＦとされたと判断した場合（ステップＳ６；Ｙｅｓ）、給油機構２１は、給油ポンプを停止させる。また、制御装置１０は、供給された給油停止信号に基づき、充電機構２２に対して充電機構駆動禁止停止信号を出力する（ステップＳ７）。
【００３０】
ノズルスイッチ９がＯＦＦとされていないと判断した場合（ステップＳ６；Ｎｏ）には、処理がステップＳ４に戻り、ノズルスイッチ９がＯＦＦとされるまで、ステップＳ４及びＳ５の処理を繰り返す。
【００３１】
一方、ステップＳ１において、ノズルスイッチ９がＯＮとされていないと判断した場合（ステップＳ１；Ｎｏ）には、処理がステップＳ８に移行する。
【００３２】
ステップＳ８において、制御装置１０は、充電開始スイッチ７が操作されたか否かを判断する。充電開始スイッチ７に対する操作により、充電開始信号が制御装置１０に対して供給されたと判断した場合（ステップＳ８；Ｙｅｓ）、制御装置１０は、充電機構２２に対して充電機構駆動信号を出力する。一方、充電開始スイッチ７が操作されていないと判断した場合（ステップＳ８；Ｎｏ）には、処理がステップＳ１に戻る。
【００３３】
ステップＳ９において、充電機構２２は、制御装置１０から充電機構駆動禁止信号が供給されたか否かを判断する。充電機構駆動禁止信号が供給されていないと判断した場合（ステップＳ９；Ｎｏ）、充電機構２２は、制御装置１０から供給された充電機構駆動信号に基づき、第２の表示部６に表示された充電率の表示をリセットして帰零すると共に、充電を開始する。また、制御装置１０は、給油機構２１に対して給油機構駆動禁止信号を出力する（ステップＳ１０）。充電機構駆動禁止信号が供給されたと判断した場合（ステップＳ９；Ｙｅｓ）には、一連の処理が終了する。
【００３４】
次に、充電機構２２は、電力が供給されたか否かを判断する（ステップＳ１１）。電力が供給されたと判断した場合（ステップＳ１１；Ｙｅｓ）、充電機構２２は、電力計によって電力量を計数し、計数結果を制御装置１０に対して出力する。制御装置１０は、充電機構２２から供給された計数結果を第２の表示部６に表示させる（ステップＳ１２）。電力が供給されていないと判断した場合（ステップＳ１１；Ｎｏ）には、処理がステップＳ１３に移行する。
【００３５】
次に、制御装置１０は、充電停止スイッチ８が操作されたか否かを判断する（ステップＳ１３）。充電停止スイッチ８に対する操作により、充電停止信号が制御装置１０に対して供給されたと判断した場合（ステップＳ１３；Ｙｅｓ）、充電機構２２は、電力供給を停止する。また、制御装置１０は、供給された給油停止信号に基づき、給油機構２１に対して給油機構駆動禁止停止信号を出力する（ステップＳ１４）。
【００３６】
一方、充電停止スイッチ８が操作されていないと判断した場合（ステップＳ１３；Ｎｏ）には、処理がステップＳ１１に戻り、充電停止スイッチ８が操作されるまで、ステップＳ１１及びＳ１２の処理を繰り返す。
【００３７】
以上のように、本実施の形態によれば、給油所等に従来から設置された給油装置に対して、充電機構を備える充電装置を併設させ、給油及び充電のための各種入力設定を行う操作部を共用できるようにするため、大規模な設備を新設することによる設備費用の増大を防ぎ、容易に給油及び充電が可能な燃料供給装置を設置することが可能になる。
【００３８】
また、本実施の形態によれば、給油装置及び充電装置のいずれか一方を駆動させる場合には、駆動禁止信号に基づき他方の装置の駆動を禁止するため、給油又は充電の際の安全性を確保することができる。
【００３９】
以上、本発明の一実施の形態について説明したが、本発明は、上述した本発明の一実施の形態に限定されるものではなく、本発明の要旨を逸脱しない範囲内で様々な変形や応用が可能である。例えば、上述の例では、給油量を表示させるための表示部（第１の表示部５）と、充電率を表示させるための表示部（第２の表示部６）とを別体で構成したが、この例に限られず、例えば、両表示部を一体化させてもよい。また、タッチパネル１６に、「電気」、「レギュラー」、「ハイオク」及び「軽油」と表示し、例えば、充電中には「電気」の表示を点灯させてその他の表示を消灯することで、現在行っている操作を明示し、他の操作ができないことを明示してもよい。
【符号の説明】
【００４０】
１  燃料供給装置
２  給油装置
３  充電装置
４  操作部
５  第１の表示部
６  第２の表示部
７  充電開始スイッチ
８  充電停止スイッチ
９  ノズルスイッチ
１０  制御装置
１１  カードリーダ／ライタ
１２  紙幣読取機
１３  バーコードリーダ
１４  ＩＣカードリーダ
１５  プリンタ
１６  タッチパネル
２１  給油機構
２２  充電機構
【図１】
0005725422.tif 000002
【図２】
0005725422.tif 000003
【図３】
0005725422.tif 000004
【図４】
0005725422.tif 000005